(57)【要約】【課題】従来に比して手を短時間で乾燥させることができるとともに、使用者に手もみなどの手間をかけることがない手乾燥装置を提供する。【解決手段】ノズル１１と、パルスエアを発生するパルスエア発生部１２とを備え、パルスエア発生部１２によって発生したパルスエアをノズル１１から手に向けて噴射するので、エアーが手に断続的に吹き付けられる。したがって、手に付着した水分が叩き落とされるようにして吹き飛ばされるので、従来に比して手を短時間で乾燥させることができるとともに、使用者に手もみなどの手間をかけることがない。【選択図】図１
2020199097.tif 000002
【特許請求の範囲】
【請求項１】
手に付着している水分を乾燥させる手乾燥装置であって、
空気を吹き出し可能なノズルと、
パルスエアを発生するパルスエア発生部とを備え、
前記パルスエア発生部によって発生したパルスエアを前記ノズルから手に向けて噴射することを特徴とする手乾燥装置。
【請求項２】
前記パルスエア発生部は、ケーシングと、このケーシングの内部に軸回りに回転可能に設けられた羽根と、前記ケーシングに、前記羽根の軸方向に対向して設けられた空気吹込み口および空気吹出し口とを備え、
前記羽根は前記空気吹込み口から吹き込まれた空気によって軸回りに回転して、前記吹込み口を連続的に開閉することによって、前記空気を前記空気吹出し口からパルスエアとして吹き出して、前記ノズルに供給することを特徴とする請求項１に記載の手乾燥装置。
【請求項３】
前記パルスエア発生部は、互いに対向して平行に配置され、かつ空気が流通可能な開口をそれぞれ有する複数の平板状のスライドダンパと、複数の前記スライドダンパのうち、少なくとも一つの前記スライドダンパをその面方向に往復動させる往復動手段とを備え、
前記往復動手段によって少なくとも一つの前記スライドダンパをその面方向に往復動させて、前記開口を連続的に開閉することによって、複数の前記スライドダンパのうちの一方側のスライドダンパから吹き付けられた空気を他方側の前記スライドダンパの開口からパルスエアとして吹き出して、前記ノズルに供給することを特徴とする請求項１に記載の手乾燥装置。
【請求項４】
前記パルスエア発生部は、筒状のケーシングと、このケーシングの一端部に設けられた空気吹込み口と、前記ケーシングの内部に設けられて、前記ケーシングの軸方向に延在するともに軸回りに回転する回転羽根とを備え、
前記ノズルは、前記ケーシングの周壁部に設けられて、前記ケーシングの軸方向に延在するスリット状に形成され、
前記回転羽根は前記ノズルに寄せて配置され、
前記回転羽根は前記空気吹込み口から吹き込まれた空気またはモータによって軸回りに回転することによって、前記空気を前記ノズルからパルスエアとして吹き出すことを特徴とする請求項１に記載の手乾燥装置。
【請求項５】
前記パルスエア発生部は、筒状のケーシングと、このケーシングの一端部に設けられた空気吹込み口と、前記ケーシングの内部にフリー状態で設けられた塊状体とを備え、
前記ノズルは、前記ケーシングの周壁部に設けられて、前記ケーシングの軸方向に延在するスリット状に形成され、
前記塊状体は前記空気吹込み口から吹き込まれた空気によって前記ケーシングの内部で躍ることによって、前記空気を前記ノズルからパルスエアとして吹き出すことを特徴とする請求項１に記載の手乾燥装置。
【請求項６】
前記ケーシングの外側に、前記ノズルから吹き出す前記パルスエアに向けて前記ケーシングの外側の空気を誘引する誘引ガイドが設けられていることを特徴とする請求項４または５に記載の手乾燥装置。
【発明の詳細な説明】
【技術分野】
【０００１】
本発明は、手洗い乾燥機やハンドドライヤーに設けられて、手に付着している水分を乾燥させる手乾燥装置に関する。
【背景技術】
【０００２】
浮遊粒子・菌および異物混入防止が特に重視される電子工業、医薬品、食品分野などの製造工程（本室）はクリーンルーム等により清浄環境に保たれており、入室前には準清浄環境の前室にて更衣、手洗いが行なわれる。手洗い後の乾燥には再汚染防止のためハンドドライヤー（手指乾燥機）が使用されることが多い。一般的なハンドドライヤーでは吹出ノズルから吹き出された高速気流により、手指に付着した水滴を吹き飛ばし非接触かつ短時間で乾燥が行える。
このようなハンドドライヤーの一例として特許文献１に記載のものが知られている。
このハンドドライヤーは、ケースと、乾燥槽と、吹出しノズルとを備えている。
【０００３】
ケースは、乾燥槽が収容されるものであり、矩形箱状に形成されている。ケースは乾燥槽を収容するケース本体と、このケース本体の上部開口部に着脱可能に取り付けられた上部カバーとを備えている。上部カバーには、乾燥槽の上方において開口する手指挿入口が設けられている。
また、乾燥槽の上部でかつ、手指挿入口より後側には、吹出しノズルが設けられ、この吹出しノズルは、その先端縁に設けられた先端開口から空気を乾燥槽の内部に向けて吹き出すようになっている。
【先行技術文献】
【特許文献】
【０００４】
【特許文献１】特開２０１５−２２３４５６号公報
【発明の概要】
【発明が解決しようとする課題】
【０００５】
ところで、上述したハンドドライヤーや手洗い乾燥機では、吹出しノズルから手に空気を連続的に吹き付けることによって手から水分を吹き飛ばして手を乾燥させているため、乾燥にある程度の時間を要していた。また、水分の吹き飛ばしの効果を高めるために、手もみをするなど使用者に手間をかけるばかりか、乾燥槽の内部が狭い場合、手もみをするのが困難になる場合もある。
【０００６】
本発明は、前記事情に鑑みてなされたもので、従来に比して手を短時間で乾燥させることができるとともに、使用者に手もみなどの手間をかけることがない手乾燥装置を提供することを目的としている。
【課題を解決するための手段】
【０００７】
前記目的を達成するために、本発明の手乾燥装置は、手に付着している水分を乾燥させる手乾燥装置であって、
空気を吹き出し可能なノズルと、
パルスエアを発生するパルスエア発生部とを備え、
前記パルスエア発生部によって発生したパルスエアを前記ノズルから手に向けて噴射することを特徴とする。
このような手乾燥装置は、手洗い乾燥機やハンドドライヤーに設けられる。
【０００８】
本発明においては、手を乾燥させる際に、パルスエア発生部によって発生したパルスエアをノズルから手に向けて噴射するので、エアーが手に断続的に吹き付けられる。したがって、手に付着した水分が叩き落とされるようにして吹き飛ばされるので、従来に比して手を短時間で乾燥させることができるとともに、使用者に手もみなどの手間をかけることがない。
【０００９】
また、本発明の前記構成において、前記パルスエア発生部は、ケーシングと、このケーシングの内部に軸回りに回転可能に設けられた羽根と、前記ケーシングに、前記羽根の軸方向に対向して設けられた空気吹込み口および空気吹出し口とを備え、
前記羽根は前記空気吹込み口から吹き込まれた空気によって軸回りに回転して、前記吹込み口を連続的に開閉することによって、前記空気を前記空気吹出し口からパルスエアとして吹き出して、前記ノズルに供給してもよい。
【００１０】
このような構成によれば、羽根が空気吹込み口からケーシングに吹き込まれた空気によって軸回りに回転して、空気吹込み口を連続的に開閉するので、ケーシングには、空気が脈動するようにして吹き込まれ、空気吹出し口から吹き出されるので、パルスエアを容易に発生させることができる。
【００１１】
また、本発明の前記構成において、前記パルスエア発生部は、互いに対向して平行に配置され、かつ空気が流通可能な開口をそれぞれ有する複数の平板状のスライドダンパと、複数の前記スライドダンパのうち、少なくとも一つの前記スライドダンパをその面方向に往復動させる往復動手段とを備え、
前記往復動手段によって少なくとも一つの前記スライドダンパをその面方向に往復動させて、前記開口を連続的に開閉することによって、複数の前記スライドダンパのうちの一方側のスライドダンパから吹き付けられた空気を他方側の前記スライドダンパの開口からパルスエアとして吹き出して、前記ノズルに供給してもよい。
【００１２】
このような構成によれば、往復動手段によって少なくとも一つのスライドダンパをその面方向に往復動させて、開口を連続的に開閉するので、一方側のスライドダンパに吹き付けられた空気は脈動するようにして他方側のスライドダンパの開口から吹き出されるので、パルスエアを容易に発生させることができる。
また、スライドダンパが有する開口の形状、大きさ、配置や、往復動手段によるスライドダンパの往復速度を適宜調整することによって、パルスエアの状態を任意に制御できる。
【００１３】
また、本発明の前記構成において、前記パルスエア発生部は、筒状のケーシングと、このケーシングの一端部に設けられた空気吹込み口と、前記ケーシングの内部に設けられて、前記ケーシングの軸方向に延在するともに軸回りに回転する回転羽根とを備え、
前記ノズルは、前記ケーシングの周壁部に設けられて、前記ケーシングの軸方向に延在するスリット状に形成され、
前記回転羽根は前記ノズルに寄せて配置され、
前記回転羽根は前記空気吹込み口から吹き込まれた空気またはモータによって軸回りに回転することによって、前記空気を前記ノズルからパルスエアとして吹き出してもよい。
【００１４】
ここで、前記回転羽根は。回転軸に羽根が当該回転軸の軸方向に延在するようにして取り付けられるが、当該羽根は厚さがほぼ一定の平板状の羽根であってもよいし、厚さが羽根の端部側ほど薄くなるような立体羽根であってもよい。
【００１５】
このような構成によれば、回転羽根が空気吹込み口から吹き込まれた空気またはモータによって軸回りに回転するので、ケーシング内の空気は回転羽根によって風速、風向が変化し、これによってケーシング内の空気はパルス状となってノズルから吹き出すので、パルスエアを容易に発生させることができる。
また、回転羽根をモータによって回転させるので、回転羽根の回転速度を制御することによって、パルスエアの状態を任意に制御できる。
【００１６】
また、本発明の前記構成において、前記パルスエア発生部は、筒状のケーシングと、このケーシングの一端部に設けられた空気吹込み口と、前記ケーシングの内部にフリー状態で設けられた塊状体とを備え、
前記ノズルは、前記ケーシングの周壁部に設けられて、前記ケーシングの軸方向に延在するスリット状に形成され、
前記塊状体は前記空気吹込み口から吹き込まれた空気によって前記ケーシングの内部で躍ることによって、前記空気をノズルからパルスエアとして吹き出してもよい。
【００１７】
ここで、前記塊状体としてはケーシングの内部に空気吹込み口から吹き込まれた空気によって容易に浮遊しながら踊ることができるものであれば、形状は問わないが、例えば発砲スチロール製の球体が好適に使用される。また、塊状体は、球体に限ることなく、楕円球状態、長円球状体でもよく、さらに、三角形以上の断面多角形状の塊状体であってもよい。また、塊状体はケーシングの内部に複数設けるのが好ましいが、１個であってもよい。
【００１８】
このような構成によれば、ケーシングの内部に設けられた塊状体に、空気吹込み口から吹き込まれた空気が当たって、塊状体がケーシングの内部で躍るため、ケーシングの内部の空気は風速、風向が変化し、これによってケーシング内の空気はパルス状となってノズルから吹き出すので、パルスエアを容易に発生させることができる。
【００１９】
また、本発明の前記構成において、前記ケーシングの外側に、前記ノズルから吹き出す前記パルスエアに向けて前記ケーシングの外側の空気を誘引する誘引ガイドが設けられていてもよい。
【００２０】
このような構成によれば、誘引ガイドによって外側の空気をノズルから吹き出すパルスエアに向けて誘引するので、パルスエアの風量を増大できる。したがって、手をより短時間で乾燥させることができる。
【発明の効果】
【００２１】
本発明によれば、パルスエアをノズルから手に向けて噴射するので、手に付着した水分が叩き落とされるようにして吹き飛ばされる。したがって、従来に比して手を短時間で乾燥させることができるとともに、使用者に手もみなどの手間をかけることがない。
【図面の簡単な説明】
【００２２】
【図１】本実施の形態の手乾燥装置が設けられたハンドドライヤーの一例を示すもので、その正断面図である。
【図２】同、側断面図である。
【図３】本実施の形態の手乾燥装置の吹出しノズルを示すもので、（ａ）は底面図、（ｂ）は（ａ）におけるＡ矢視図、（ｃ）は正面図、（ｄ）は（ｃ）におけるＢ−Ｂ線断面図である。
【図４】本実施の形態の手乾燥装置のパルスエア発生部を示すもので、（ａ）は平面図、（ｂ）側面図、（ｃ）は底面図である。
【図５】同、側断面図である。
【図６】本実施の形態の手乾燥装置のパルスエア発生部の第１変形例を示す正断面図である。
【図７】本実施の形態の手乾燥装置のパルスエア発生部の第２変形例を示すもので、（ａ）は正面図、（ｂ）は（ａ）におけるＢ−Ｂ線断面図である。
【図８】本実施の形態の手乾燥装置のパルスエア発生部の第３変形例を示すもので、（ａ）は正面図、（ｂ）は（ａ）におけるＢ−Ｂ線断面図である。
【図９】本実施の形態の手乾燥装置において、誘引ガイドを設けた状態を示すパルスエア発生部の断面図である。
【発明を実施するための形態】
【００２３】
以下、図面を参照して本発明の実施の形態について説明する。
図１および図２は本実施の形態に係る手乾燥装置１０を備えたハンドドライヤーを示すもので、図１はハンドドライヤーの正断面図、図２はハンドドライヤーの側断面図である。
本実施の形態のハンドドライヤーは、ケース１と、このケース１内に設けられた手乾燥装置１０とを備えている。
【００２４】
ケース１は矩形箱状に形成されており、このケース１内には、乾燥槽２が収容されている。ケース１は乾燥槽２を収容するケース本体１ａと、このケース本体１ａの上部開口部に着脱可能に取り付けられた上部カバー１ｂとを備えている。
上部カバー１ｂには、乾燥槽２の上方において開口する手指挿入口１ｃが設けられている。この手指挿入口１ｃは、図１に示すように、横長の長円状の開口となっている。また、上部カバー１ｂの後部（図２において右側部）には、上方に膨出している膨出部１ｄが設けられている。
【００２５】
乾燥槽２は、矩形箱状に形成されており、その上部に開口が設けられている。この開口の上方に手指挿入口１ｃが配置されており、乾燥槽２は、開口と手指挿入口１ｃにより外部と連通している。乾燥槽２の底壁部２ｄは後側（図２において右側）に向かうにしたがって、漸次下方に傾斜しており、当該底壁部２ｄの最も後側（図２において右側）の壁面は略水平になっている。そして、この略水平の壁面に排水口６が垂設され、この排水口６には、ケース本体１ａの下部に設けられる下部ドレンパン８に向けて延びる排水管７が接続されている。
【００２６】
また、乾燥槽２には、漏洩防止板４が乾燥槽２の前壁部に対して１５°〜３０°の間で傾斜して取り付けられている。漏洩防止板４は、矩形板状に形成され、その略中央部に、後述する吹出しノズル１１のノズル１１ｃから吹き出される空気が通過可能な開口部を有している。漏洩防止板４を乾燥槽２内に、当該漏洩防止板４の下端部を乾燥槽２の底壁部２ｄに当接した状態で設けた場合、当該底壁部２ｄと漏洩防止板４の下端縁との間には、空気が流れる隙間が形成される。
このような漏洩防止板４では、吹出しノズル１１からの空気（吹出気流）は、漏洩防止板４に設けられた開口部を通って乾燥槽２の前壁部に衝突して跳ね返るが、この跳ね返った空気は、漏洩防止板４によって手指挿入口１ｃ側に飛散するのが防止される。
【００２７】
また、ケース１の内部には手乾燥装置１０が設けられている。この手乾燥装置１０は、吹出しノズル１１と、パルスエアを発生するパルスエア発生部１２と、パルスエア発生部１２に空気を供給する空気供給部１３とを備えている。
【００２８】
吹出しノズル１１は、図１に示すように、ケース１の正面視において、ケース１の左右側壁部間に延在して設けられており、その先端縁に設けられたノズル１１ｃから空気を乾燥槽２の内部に向けて吹き出すようになっている。図２に示すように、吹出しノズル１１のノズル１１ｃ先端部は、乾燥槽２の前壁部の下端部近傍に向けて水平面に対して５０°〜６０°程度傾斜している。また、吹出しノズル１１は上部カバー１ｂの膨出部１ｄの内側に配置され、上部カバー１ｂをケース本体１ａに取り付けた状態において、吹出しノズル１１および乾燥槽２の略上半分は当該上部カバー１ｂによって覆われている。
また、上部カバー１ｂをケース本体１ａに取り付けた状態において、上部カバー１ｂの手指挿入口１ｃは乾燥槽２の開口の上方に位置しており、手指挿入口１ｃおよび開口から乾燥槽２に手指を挿入することができるようになっている。
【００２９】
吹出しノズル１１は、図３に示すように、四角筒状のケーシング１１ａと、このケーシング１１ａの一端部に接続された接続管１１ｂとを備えている。接続管１１ｂは屈曲部を有しており、この屈曲部によって接続管１１ｂの開口部はケーシング１１ａの軸方向と直交する方向に開口している。したがって、この開口から供給される空気は、接続管１１ｂを通ってケーシング１１ａの内部に流入するようになっている。なお、吹出しノズル１１は、図１に示すように、接続管１１ｂを下方に向けた状態でケース１の内部に設けられている。
ケーシング１１ａは、断面Ｌ形の長尺なＬ形部材を断面ロ字形となるように組み合わせて形成された四角筒状のものであり、Ｌ形部材どうしの縁部が重ね合わせられたうえで、この重ね合わせられた部分が点溶接ＴやリベットＲ等によって結合されている。
また、ケーシング１１ａの長手方向に沿う一つの角部には、ケーシング１１ａの軸方向の延びるスリット状のノズル１１ｃ，１１ｃが軸方向に離間して設けられている。そして、このノズル１１ｃ，１１ｃからケーシング１１ａの内の空気を吹き出すようになっている。
【００３０】
このような吹出しノズル１１は、図１および図２に示すように、乾燥槽２の上部の奥側に、ケーシング１１ａが水平になるように、かつノズル１１ｃが乾燥槽２の内部に向くようにして設置され、この状態において接続管１１ｂの先端開口部は下方に向けられている。そして、下方に向けられた接続管１１ｂの先端開口部に、後述する連結管３４が接続されている。
なお、図２に示す吹出しノズル１１では、ノズル１１ｃがケーシング１１ａの角部から斜め下方に延出しているが、図３に示すように、ケーシング１１ａの角部にスリット状に形成されていてもよい。
【００３１】
前記パルスエア発生部１２は、図４および図５に示すように、ケーシング２０と、このケーシング２０の内部に軸回りに回転可能に設けられた羽根２１と、ケーシング２０に、羽根２１の軸方向に対向して設けられた空気吹込み口２２および空気吹出し口２３とを備えている。
ケーシング２０は内部が中空な円盤状に形成されており、円筒状のケーシング本体２０ａと、このケーシング本体２０ａの一端部（図５において上端部）の開口を塞ぐ円板状の蓋部２０ｂとを備えている。ケーシング本体２０ａの一端部の外周部には円板状のフランジ部２０ｃが形成されている。
また、ケーシング本体の他端部（図５において下端部）は底板によって閉塞されているが、この底板には空気吹込み口２２が設けられている。空気吹込み口２２は円形状に形成され、その中心は底板の中心（ケーシング本体２０ａの中心）から離間している。つまり、空気吹込み口２２の中心はケーシング本体の中心に対して偏心している。また、空気吹込み口２２の直径は前記底板の半径より小さくなっている。また、空気吹込み口２２の外周側には円筒状の突出部２４が空気吹込み口２２と同軸に設けられている。
【００３２】
また、蓋部２０ｂには空気降出し口２３が設けられている。この空気吹出し口２３は全体的に蓋部２０ｂと同軸の円形状に形成されている。また、空気吹出し口２３は、蓋部２０ｂの中心に対して同軸に設けられ、直径が異なる複数のリング状の部材２５ａと、蓋部２０ｂの中心から放射に延びる複数の直線状の部材２５ｂとによって画成された複数の吹出し口２３ａによって構成されている。
【００３３】
羽根２１は平面視において半円状に形成され、図５に示すように、当該半円の直径の中心に円筒状の回転軸２１ａが設けられ、羽根２１は回転軸２１ａの軸に対して傾斜している。また、回転軸２１ａの内部には軸受２１ｂが設けられ、この軸受２１ｂにねじ２６が支持軸として挿入されている。ねじ２６は蓋部２０ｂの中心部から軸受２１ｂの中心部に挿通され、さらに、ケーシング本体２０ａの中央部に設けられた凸部に形成されたねじ孔２６ａにねじ込まれている。したがって、羽根２１はねじ２６によって支持された軸受２１ｂを介して回転軸２１ａとともに軸回りに回転可能となっている。
【００３４】
このような構成のパルスエア発生部１２では、羽根２１が空気吹込み口２２からケーシング２０の内部に吹き込まれた空気によって軸回りに回転して、空気吹込み口２２を連続的に開閉することによって、空気を空気吹出し口２３からパルスエアとして吹き出すようになっている。
【００３５】
そして、このようなパルスエア発生部１２は、図１および図２に示すように、その空気吹込み口２２を下方に向けるとともに空気吹出し口２３を上方に向けて、空気供給部１３に取り付けられている。
すなわちまず、空気供給部１３は、ケーシング３０と、このケーシング３０の内部でかつ底部に設けられたファン３１と、ケーシング３０の内部でかつファン３１の上方に設けられたＨＥＰＡフィルタ等のフィルタ３２とを備えている。そして、フィルタ３２より下方でかつケーシング３０の内部が１次チャンバ３０ａとなり、フィルタ３２より上方でかつケーシング３０の内部が２次チャンバ３０ｂとなっている。
【００３６】
ケーシング３０の上壁部には筒状の吹出し部３３が設けられており、この吹出し部３３の下端開口に臨むようにしてパルスエア発生部１２がケーシング３０の上壁部の下面に固定されている。なお、パルスエア発生部１２の固定は、当該パルスエア発生部１２のフランジ部２０ｃをケーシング３０の上壁部の内面に固定することにより行えばよい。
ファン３１は外部の空気を底部から吸い込んで、ケーシング３０の１次チャンバ３０ａに吹き出すようになっており、この吹出された空気はフィルタ３２を通ることで塵等の異物が除去されたうえで、フィルタ３２より上方の２次チャンバ３０ｂに吹き出され、さらに、パルスエア発生部１２の空気吹込み口２２からパルスエア発生部１２の内部（ケーシング２０の内部）に吹き込まれるようになっている。
そして、パルスエア発生部１２ではケーシング２０の内部に吹き込まれた空気によって羽根２１が軸回りに回転して、空気吹込み口２２を連続的に開閉することによって、空気を空気吹出し口２３からパルスエアとして吹き出すようになっている。
【００３７】
また、吹出し部３３には連結管３４の下端部が接続され、当該連結管３４の上端部は吹出しノズル１１の接続管１１ｂに接続されている。
したがって、パルスエア発生部１２の空気吹出し口２３から吹き出されたバルスエアは吹出し部３３、連結管３４、接続管１１ｂを介して吹出しノズル１１のケーシング１１ａの内部に吹き込まれ、ノズル１１ｃから乾燥槽２の内部に向けて吹き出されるようになっており、乾燥槽２の内部に手指挿入口１ｃから手を挿入することによって、手にパルスエアが吹き付けられる。
【００３８】
以上のように本実施の形態のハンドドライヤーによれば、手を乾燥させる際に、パルスエア発生部１２によって発生したパルスエアを吹出しノズル１１のノズル１１ｃから手に向けて噴射するので、エアーが手に断続的に吹き付けられる。したがって、手に付着した水分が叩き落とされるようにして吹き飛ばされるので、従来に比して手を短時間で乾燥させることができるとともに、使用者に手もみなどの手間をかけることがない。
【００３９】
また、パルスエア発生部１２は、ケーシング２０と、このケーシング２０の内部に軸回りに回転可能に設けられた羽根２１と、ケーシング２０に、羽根２１の軸方向に対向して設けられた空気吹込み口２２および空気吹出し口２３とを備え、羽根２１は空気吹込み口２２から吹き込まれた空気によって軸回りに回転して、空気吹込み口２２を連続的に開閉することによって、空気を空気吹出し口２３からパルスエアとして吹き出して、連結管３４を介して吹出しノズル１１に供給するので、パルスエアを容易に発生させることができるとともに、吹出しノズル１１のノズル１１ｃからパルスエアを容易に吹出させることができる。
【００４０】
次に、パルスエア発生部の変形例について説明する。
図６に示すように、第１変形例のパルスエア発生部４０は、互いに対向して平行に配置され、かつ空気が流通可能な開口をそれぞれ有する一対の平板状のスライドダンパ４１，４２を備え、ケーシング３０の１次チャンバ３０ａに設けられている。
【００４１】
上側のスライドダンパ４１は、矩形板状に形成され、その一辺に沿って長尺なスリット状の開口が他辺に沿って所定間隔で複数設けられている。また、このスライドダンパ４１の端部はケーシング２０の対向する内壁に固定されている。
下側のスライドダンパ４２も矩形板状に形成され、その一辺に沿って長尺なスリット状の開口が他辺に沿って所定間隔で複数設けられている。また、スライドダンパ４２の端部はケーシング２０の対向する壁部との間に所定の間隔を隔てて配置され、往復動手段４５，４５によって図６において左右に往復動自在に支持されている。往復動手段４５は、例えばソレノイド４５によって構成され、このソレノイド４５がケーシング２０の対向する壁部に固定され、ソレノイド４５の駆動軸４５ａがスライドダンパ４２の端部に連結されている。
【００４２】
そして、ソレノイド４５の駆動軸４５ａを軸方向に往復動させることによって、下側のスライドダンパ４２が図６において左右に往復動するようになっている。スライドダンパ４２が左右に往復動することによって、上側のスライドダンパ４１の開口と下側のスライドダンパ４２の開口とがスライドダンパ４１，４２の厚さ方向において重なって両開口が上下に連続して空気が抜ける場合と、上側のスライドダンパ４１の開口と下側のスライドダンパ４２の開口とがスライドダンパ４１，４２の厚さ方向において重ならず空気が遮断される場合とが連続的に生じることになる。つまり、スライドダンパ４１の開口が連続的に開閉する。
【００４３】
したがって、往復動手段４５によって下側のスライドダンパ４２を往復動させながら、ファン３１を回転させると、ファン３１から吹き出された空気は下側のスライドダンパ４２に当たり、脈動するようにして上側のスライドダンパ４１の開口から吹き出されるので、パルスエアを容易に発生させることができる。
また、スライドダンパ４１，４２が有する開口の形状、大きさ、配置や、往復動手段４５によるスライドダンパ４１，４２の往復速度を適宜調整することによって、パルスエアの状態（パルエアの脈動の間隔、パルエアの風量、風速等）を任意に制御できる。
【００４４】
スライドダンパ４１の開口から吹き出されるパルスエアは、図１および図２に示すように、吹出し部３３、連結管３４、接続管１１ｂを介して吹出しノズル１１のケーシング１１ａの内部に吹き込まれ、ノズル１１ｃから乾燥槽２の内部に向けて吹き出され、乾燥槽２の内部に手指挿入口１ｃから手を挿入することによって、手にパルスエアが吹き付けられる。
なお、スライドダンパ４１，４２に設ける開口はスリット状に限ることはない。例えば所定間隔で配置された複数の孔であってもよいし、孔とスリットとの組み合わせであってもよい。また、スライドダンパ４１，４２は少なくとも一方を往復動させればよく、その方向はスライドダンパ４１，４２の面方向であれば、どの方向であってもよい。
また、スライドダンパ４１，４２は、ケーシング３０の２次チャンバ３０ｂに設けてもよい。
さらに、スライドダンパの数が３枚以上であってもよいし、３枚以上の場合は少なくとも一つのスライドダンパを面方向において往復動させればよい。
【００４５】
図７に示すように、第２変形例のパルスエア発生部５０は、四角筒状のケーシング５１と、このケーシング５１の一端部に設けられた空気吹込み口５２と、ケーシング５１の内部に設けられた回転羽根５３と、ノズル５４とを備えている。なお、回転羽根５３はケーシング５１の内部に設けられるが、図７においては、回転羽根５３を破線ではなくて、実線で記載している。
【００４６】
ケーシング５１の他端部は閉塞されており、一端部に接続管５５が接続されている。この接続管５５は屈曲部を有しており、この屈曲部によって接続管５５の一端開口部、つまり吹込み口５２は、ケーシング５１の軸方向と直交する方向に開口している。したがって、この吹込み口５２から供給される空気は、接続管５５を通ってケーシング５１の内部に流入するようになっている。
ノズル５４は、ケーシング５１の周壁部の４つの角部のうちの１つの角部に設けられている。このノズル５４は、前記１つの角部にケーシングの軸方向に延在するスリット状に形成されている。
【００４７】
なお、ケーシング５１は図３に示すような四角筒状のケーシング１１ａによって構成し、また、ノズル５４は図３に示すようなケーシング１１ａの角部に設けられたノズル１１ｃによって構成し、さらに、接続管５５は図３に示すような接続管１１ｂによって構成してもよい。このようにすれば、部品を転用できる。つまり、図３に示すケーシング１１ａをケーシング５１として、その内部に回転羽根５３を設ければよい。
【００４８】
回転羽根５３は、ケーシング５１の軸方向に延在するともに軸回りに回転するようになっている。具体的には、回転羽根５３は羽根５３ａと回転軸５３ｂとによって構成されている。回転軸５３ｂは、ケーシング５１の内部に当該ケーシング５１の軸方向と平行に設けられ、回転軸５３ｂの両端部はケーシング５１の軸方向の両端側に設けられている端板に軸受を介して回転可能に支持されている。この回転軸５３ｂに羽根５３ａが設けられている。羽根５３ａは金属製の帯板をその長手方向に沿う中心線回りで複数回、周方向に所定角度だけ捩って形成されたものあり、帯板の中心線に沿って回転軸５３ｂが設けられ、この回転軸５３ｂに羽根５３ａが設けられている。
また、回転羽根５３はスリット状のノズル５４に寄せて配置され、空気吹込み口５２からケーシング５１内に吹き込まれた空気によって軸回りに回転することによって、当該空気をノズル５４からパルスエアとして吹き出すようになっている。
【００４９】
このようなパルスエア発生部５０では、回転羽根５３が空気吹込み口５２から吹き込まれた空気によって回転軸５３ｂを介して軸回りに回転するので、ケーシング５１内の空気は回転羽根５３によって風速、風向が変化し、これによってケーシング５１内の空気はパルス状となってノズル５４から吹き出すので、パルスエアを容易に発生させることができる。
また、回転羽根５３の回転軸５３ｂをモータによって回転させてもよく、この場合、回転羽根５３の回転速度を制御することによって、パルスエアの状態（パルエアの脈動の間隔、パルエアの風量、風速等）を任意に制御できる。
【００５０】
図８に示すように、第３変形例のパルスエア発生部６０は、四角筒状のケーシング５１と、このケーシング５１の一端部に設けられた空気吹込み口５２と、ケーシング５１の内部にフリー状態で設けられた複数の塊状体６１と、ノズル５４とを備えている。つまり、第３変形例のパルスエア発生部６０は、第２変形例のパルスエア発生部５０において、回転羽根５３に代えて複数の塊状体６１がケーシング５１の内部に設けられて構成されている。
【００５１】
したがって、第３変形例のパルスエア発生部６０において、第２変形例のパルスエア発生部５０と同一構成には同一符号を付してその説明を省略することもある。
塊状体６１は、例えば発砲スチロールで形成された球体６１であり、ケーシング５１の内部にフリーの状態で複数装填されている。
そして、塊状体６１は空気吹込み口５２から吹き込まれた空気によってケーシング５１の内部で躍ることによって、空気をノズル５４からパルスエアとして吹き出すようになっている。
【００５２】
このようなパルスエア発生部６０では、ケーシング５１の内部に複数設けられた塊状体６１に、空気吹込み口５２から吹き込まれた空気が当たって、塊状体６１がケーシング５１の内部で躍るため、ケーシング５１の内部の空気は風速、風向が変化し、これによってケーシング５１内の空気はパルス状となってノズル５４から吹き出すので、パルスエアを容易に発生させることができる。
【００５３】
また、図９に示すように、第２変形例のパルスエア発生部５０および第３変形例のパルスエア発生部６０において、ケーシング５１の外側に、ノズル５４から吹き出すパルスエアＰＡに向けてケーシング５１の外側の空気ＯＡを誘引する誘引ガイド５６が設けられていてもよい。
誘引ガイド５６は、ノズル５４を挟んで左右一対設けられている。誘引ガイド５６はケーシング５１の側面５１ａ，５１ａに沿って延在する板状に形成され、その先端部は下方に向けて延在している。
【００５４】
このように誘引ガイド５６，５６を設けることによって、当該誘引ガイド５６，５６によって外側の空気ＯＡをノズル５４から吹き出すパルスエアＰＡに向けて誘引するので、パルスエアＰＡの風量を増大できる。したがって、手をより短時間で乾燥させることができる。
【００５５】
なお、図３に示す吹出しノズル１１のケーシング１１ａの外側に、ノズル１１ｃから吹き出すパルスエアに向けてケーシング１１ａの外側の空気ＯＡを誘引する誘引ガイドを設けてもよい。
また、本実施の形態では、本発明に係る手乾燥装置１０をハンドドライヤーに設けた場合を例にとって説明したが、当該手乾燥装置１０を手洗い乾燥機に設けてもよい。
【符号の説明】
【００５６】
１０  手乾燥装置
１１ｃ，５４ノズル
１２，４０，５０，６０  パルスエア発生部
２０  ケーシング
２１  羽根
２２  空気吹込み口
２３  空気吹出し口
４１，４２  スライドダンパ
４５  往復動手段
５１  ケーシング
５２  空気吹込み口
５３  回転羽根
５６  誘引ガイド
６１  塊状体
【図１】
2020199097.tif 000003
【図２】
2020199097.tif 000004
【図３】
2020199097.tif 000005
【図４】
2020199097.tif 000006
【図５】
2020199097.tif 000007
【図６】
2020199097.tif 000008
【図７】
2020199097.tif 000009
【図８】
2020199097.tif 000010
【図９】
2020199097.tif 000011